(57)【特許請求の範囲】
【請求項１】
展示パネルの上縁に嵌合する嵌合凹部を下部に形成し、この嵌合凹部の上部の左右両側に、開口部を外側に向けた断面略Ｃ形のガイドレールを一体に設けてガイドフレームを構成し、展示パネルの左右両側をスタンドに着脱自在に係合させて組立てる展示パネルの上縁に沿って前記ガイドフレームを取付け、前記ガイドレールにキャリアスライドを摺動自在に係合させ、このキャリアスライドにワイヤーを介して高さ調整自在に吊り下げフックを取付けると共に、前記ガイドフレームの上部に形成した左右ガイドレールに、照明器を上部に取付けた支持スライドを摺動自在に係合させ、この照明器のリード線を左右ガイドレールの間の上部溝内に設けたコンセントに接続するようにしたことを特徴とする展示パネル用展示物支持装置。
【請求項２】
展示パネルの上縁に嵌合する嵌合凹部を下部に形成し、この嵌合凹部の上部の左右両側に、開口部を外側に向けた断面略Ｃ形のガイドレールを一体に設けてガイドフレームを構成し、展示パネルの左右両側をスタンドに着脱自在に係合させて組立てる展示パネルの上縁に沿って前記ガイドフレームを取付け、前記ガイドレールにキャリアスライドを摺動自在に係合させ、このキャリアスライドにワイヤーを介して高さ調整自在に吊り下げフックを取付けると共に、前記ガイドフレームの上部に形成した左右ガイドレールの間の上部溝内に、導電線を内側両壁面に対向した通電レールを設け、この通電レールの内側に照明器の接続部を嵌合させて、その接点を前記導電線に接触させると共に照明器を固定したことを特徴とする展示パネル用展示物支持装置。
【発明の詳細な説明】
【０００１】
【発明の属する技術分野】
本発明は、組立式の展示パネルに、絵画や写真、書などを展示する場合に用いる展示物支持装置に関するものである。
【０００２】
【従来の技術】
一般に、公共団体の住民センターや体育館などで行なわれる美術展などは開催期間が短かく、各種の催しも行なわれることから、組立式の展示パネルを観覧順路に沿って組立て、この展示パネルに絵画や写真、書などを展示している。これら作品を展示する場合、従来は孔明きベニヤ板で表面と裏面を形成した展示パネルの孔に、金属棒を曲げて形成した支持フックを差し込んで固定し、この支持フックに作品を支持して展示していた。
【０００３】
しかしながらこの金属棒を曲げて形成した支持フックは取付けや取外し作業が面倒であり、また正面から支持フックが見えるので作品鑑賞の邪魔になり、しかも保管する場合にかさばるなどの問題があった。またこの支持フックは、孔明きベニヤ板で形成した展示パネルにしか使用できない問題もあった。
【０００４】
また天井の高い体育館などを会場として使用するため、展示パネルの設置場所によっては隅の方では暗くなり展示物が見えにくい問題があり、この場合には展示パネルの上部にフレームを設けて、ここに照明器を取付けて作品を照明することも行なわれている。しかしながらこの照明装置と、支持フックとは別個に取付けなければならず組立てや分解作業に手間がかかる問題があった。
【０００５】
【発明が解決しようとする課題】
本発明は上記欠点を除去し、作品の展示が容易であり、また照明装置と一体に構成して取付けや取外しが容易に行なえ作業性に優れた展示パネル用展示物支持装置を提供するものである。
【０００６】
【課題を解決するための手段】
本発明の請求項１記載の展示パネル用展示物支持装置は、展示パネルの上縁に嵌合する嵌合凹部を下部に形成し、この嵌合凹部の上部の左右両側に、開口部を外側に向けた断面略Ｃ形のガイドレールを一体に設けてガイドフレームを構成し、展示パネルの左右両側をスタンドに着脱自在に係合させて組立てる展示パネルの上縁に沿って前記ガイドフレームを取付け、前記ガイドレールにキャリアスライドを摺動自在に係合させ、このキャリアスライドにワイヤーを介して高さ調整自在に吊り下げフックを取付けると共に、前記ガイドフレームの上部に形成した左右ガイドレールに、照明器を上部に取付けた支持スライドを摺動自在に係合させ、この照明器のリード線を左右ガイドレールの間の上部溝内に設けたコンセントに接続するようにしたことを特徴とするものである。
【０００７】
また請求項２記載の展示パネル用展示物支持装置は、展示パネルの上縁に嵌合する嵌合凹部を下部に形成し、この嵌合凹部の上部の左右両側に、開口部を外側に向けた断面略Ｃ形のガイドレールを一体に設けてガイドフレームを構成し、展示パネルの左右両側をスタンドに着脱自在に係合させて組立てる展示パネルの上縁に沿って前記ガイドフレームを取付け、前記ガイドレールにキャリアスライドを摺動自在に係合させ、このキャリアスライドにワイヤーを介して高さ調整自在に吊り下げフックを取付けると共に、前記ガイドフレームの上部に形成した左右ガイドレールの間の上部溝内に、導電線を内側両壁面に対向した通電レールを設け、この通電レールの内側に照明器の接続部を嵌合させて、その接点を前記導電線に接触させると共に照明器を固定したことを特徴とするものである。
【０００８】
【発明の実施の形態】
以下本発明の実施の一形態を図１ないし図５を参照して詳細に説明する。図において１は組立式の展示パネルで、これは長方形状をなす孔開きパネル２の左右両側を角パイプで形成されたスタンド３、３に着脱自在に係合させ、交互にパネル２…とスタンド３…を組合せて壁状の展示面を形成するものである。この連結構造としては例えば図２に示すように、パネル２の周縁に所定の間隔で逆テーパー状の突起部４を突設し、これと対向するスタンド３、３の側面に孔部５を開口し、ここに着脱自在に係合させて組立、分解するものである。なおこの場合、スタンド３側に突起部４を突設し、パネル２側の周縁に孔部５を形成した逆の係合構造でもよい。
【０００９】
このパネル２…を例えば図１に示すように、縦長に配置して展示パネル１を組立て、各パネル２…の上縁に沿って夫々ガイドフレーム６…を取付ける。このガイドフレーム６は、図３に拡大して示すようにアルミニウム材を押出成型して製造され、下部に展示パネル１の上縁に嵌合する嵌合凹部７を形成し、この上部の左右両側に、開口部９を外側に向けた断面略Ｃ形のガイドレール１０、１０を一体に形成したものである。このガイドフレーム６の嵌合凹部７をパネル２の上縁に嵌めてから、パネル２の左右両側をスタンド３、３に係合させて展示パネルを組立てる。
【００１０】
また図３において１１はキャリアスライドで、これは断面略Ｈ形状に形成され、断面略Ｃ形の前記ガイドレール１０の開口部９に係合して左右に摺動自在に取付けられている。またこのキャリアスライド１１の下部にはワイヤー１２の上部が接合され、このワイヤー１２の中間は吊り下げフック１３を貫通してこれを任意の高さで固定するようになっている。つまり吊り下げフック１３のシリンダー１４を押し込むことによりロックが解除されて吊り下げフック１３がワイヤー１２に沿って上下に移動し、任意の高さでロックして固定できるようになっている。
【００１１】
またガイドフレーム６の任意の位置に照明器１８が取付けられている。前記ガイドフレーム６の上部に形成した左右ガイドレール１０、１０の間の上部溝８内には図４に示すように間隔をおいて複数個のコンセント１９…が設けられている。
【００１２】
また、ガイドフレーム６の上部に、支持スライド２０が取付けられている。この支持スライド２０は図５に示すように、ガイドフレーム６の上部溝８をまたいでその両端のＬ形部２１、２１が、左右の断面Ｃ形をなすガイドレール１０、１０の内側に係合して摺動自在に取付けられている。またこの支持スライド２０の上部には照明器１８が接合され、この照明器１８は図４に示すように本体部２２にアーム２３が設けられ、この先端に電球２４を取付けてカバー２５で覆ったものである。
【００１３】
また図４に示すように本体部２２から引き出されたリード線２６の先端にはプラグ２７が接続され、このプラグ２７をコンセント１９に差し込むことにより照明器１８を点灯することができる。また図１に示すように展示面の端側に配置されるスタンド３の上下両側にはコンセント１９、１９が取付けられ、角パイプの内側にはリード線２６が上下方向に配線されて、この両端が前記コンセント１９、１９に接続されている。
【００１４】
上記構成の展示パネル用展示物支持装置は、図１に示すように先ずガイドフレーム６の嵌合凹部７をパネル２の上縁に嵌めてから、パネル２の左右両側に突設させた逆テーパー状の突起部４を角パイプで形成されたスタンド３の孔部５に係合させて壁状に展示パネル１を組立てる。次に図２に示すようにスタンド３の上端に四角形状のキャップ１５を挿着して、展示パネル１の上縁の高さを揃える。この後、断面略Ｈ形状に形成されたキャリアスライド１１を仮想線で示すように横にして断面略Ｃ形をなすガイドフレーム６の開口部９から内側に差し込んでから回転させて立てると、開口部９に係合して左右に摺動自在に取付けられる。
【００１５】
次に図３に示すようにこのキャリアスライド１１を、絵画１７を吊す位置まで横にスライドさせてから、ワイヤー１２に取付けた吊り下げフック１３のシリンダー１４を押して吊り下げフック１３を上下に移動させ、絵画１７を吊す高さでロックする。この後、絵画１７の裏側を吊り下げフック１３に係合させることにより、任意の位置と高さで絵画１７を展示することができる。
【００１６】
また、スタンド３の下部に設けたコンセント１９を電源に接続すると共に、上部のコンセント１９を上部溝８内に直列に配置したコンセント１９にリード線２６で接続する。次に照明器１８を取付けた支持スライド２０をガイドレール１０に沿って絵画１７を吊す位置の上方までスライドさせる。次に照明器１８の本体部２２から引出されたリード線２６の先端に取付けたプラグ２７を、近くのコンセント１９に差し込んで電球２４を点灯させ、絵画１７に最も良い照明となるようにアーム２３の角度を調整する。
【００１７】
従って展示パネル１にガイドフレーム６を一体に組み合わせてあるので、ここにキャリアスライド１１を簡単に取付けられ、また吊り下げフック１３の位置や高さの調整もワンタッチで行なえるので組立が容易である。またパネル２の前面からは細いワイヤー１２が見えるだけなので絵画１７を鑑賞する上で邪魔にならない。またパネル２も孔あきパネルだけでなく、孔のないパネルにも作品を展示でき、しかも分解も容易で、キャリアスライド１１や吊り下げフック１３も小型なので保管も便利である。
【００１８】
またこの構造は、ガイドレール１０が吊り下げフック１３と照明器１８の支持とを兼ねているので構造を簡素化することができると共に、立上がり配線がスタンド３内に隠れるので展示面の邪魔にならずすっきりした配線となる。
【００１９】
図６は本発明の他の実施の形態を示すもので、縦長に配置した各パネル２…の上縁に沿って夫々ガイドフレーム６…を取付け、このガイドフレーム６の上部に形成した左右のガイドレール１０、１０の間の上部溝８内に通電レール２９を設けて、ここに照明器１８を取付けたものである。
【００２０】
前記通電レール２９は、内側をプラスチック３０で絶縁し、外側を金属板３１で形成した略Ｕ形状をなし、内側両壁面には凹溝３２、３２が対向して形成され、ここに導電線３３、３３を嵌合して、対向する導電面が露出するようになっている。また前記照明器１８は、本体部２２の下部に接続部３４が設けられ、これが通電レール２９内に挿入されて、本体部２２を回転させることにより接続部３４の接点３５、３５が導電線３３、３３に接触すると共に、本体部２２を固定して支持するようになっている。
【００２１】
上記構成の展示パネル用展示物支持装置は、導電線３３、３３を取付けた通電レール２９がガイドフレーム６の上部溝８内に設けられているので、リード線が露出せず外観に優れている。
【００２２】
【発明の効果】
以上説明した如く本発明の請求項１記載に係る展示パネル用展示物支持装置によれば、展示パネルの上縁に沿ってガイドフレームを取付け、ここに形成した断面略Ｃ形のガイドレールにキャリアスライドを摺動自在に係合させ、このキャリアスライドにワイヤーを介して高さ調整自在に吊り下げフックを取付けて、ここに作品を支持させるので作品の展示が容易である。またこの展示パネル用展示物支持装置は、照明装置と一体に構成されているので取付けや取外し作業が容易である。
【００２３】
更に請求項２記載の展示パネル用展示物支持装置は、導電線を取付けた通電レールがガイドフレームの上部溝内に設けられているので、リード線が露出せず外観に優れている。
【図面の簡単な説明】
【図１】本発明の実施の一形態による照明器を一体に形成した展示物支持装置を取付けた展示パネルの正面図である。
【図２】図１の要部を拡大して示す正面図である。
【図３】図１の展示物支持装置を取付けた展示パネルの断面図である。
【図４】図１の平面図である。
【図５】図１の展示物支持装置を取付けた展示パネルの断面図である。
【図６】本発明の他の実施の形態による照明器を一体に形成した展示物支持装置を取付けた展示パネルの断面図である。
【符号の説明】
１    展示パネル
２    パネル
３    スタンド
６    ガイドフレーム
７    嵌合凹部
８    上部溝
９    開口部
１０  ガイドレール
１１  キャリアスライド
１２  ワイヤー
１３  吊り下げフック
１７  絵画
１８  照明器
１９  コンセント
２０  支持スライド
２１  Ｌ形部
２２  本体部
２３  アーム
２４  電球
２７  プラグ
２９  通電レール
３２  凹溝
３３  導電線
３４  接続部
３５  接点
【図１】
0004023892.tif 000002
【図２】
0004023892.tif 000003
【図３】
0004023892.tif 000004
【図４】
0004023892.tif 000005
【図５】
0004023892.tif 000006
【図６】
0004023892.tif 000007